(57)【要約】【課題】  利用者が、移動通信端末装置を用いて、遠隔サーバにおいて実行可能なファイルを迅速かつ容易に遠隔操作できるようにする。【解決手段】  携帯電話装置１０において、遠隔サーバおいて展開可能な複数のファイルのリストであるファイルリストが表示部に表示される。こうして表示されたファイルリストを見た利用者が、展開すべきファイルを選択すると、携帯電話装置１０から、選択されたファイルのファイル識別子を含むファイル展開要求がＶＮＣサーバ３０へ送信される。かかるファイル展開要求を受信すると、ＶＮＣサーバ３０において展開要求がなされたファイルが展開されるとともに、ＶＮＣサーバ３０の主導により、遠隔操作用セッションが開設される。以後、携帯電話装置１０によるＶＮＣサーバ３０の遠隔操作が実行される。【選択図】  図６
2007157050.tif 000002
【特許請求の範囲】
【請求項１】
移動通信端末装置がネットワークを介して遠隔サーバを操作する遠隔操作方法であって、
前記移動通信端末装置が、前記遠隔サーバに保存されている複数のファイルであって、前記遠隔サーバにおいて展開可能なものリストであり、前記移動通信端末装置に記憶されているファイルリストを前記移動通信端末装置の表示部に表示するファイルリスト表示工程と；
前記ファイルリスト表示工程において表示された少なくとも１つのファイルの中から選択されたファイルのファイル識別子を含むファイル展開要求を、前記移動通信端末装置が前記遠隔サーバへ送信するファイル展開要求送信工程と；
前記移動通信端末装置と前記遠隔サーバとの間で、前記移動通信端末装置が前記遠隔サーバを操作するための遠隔操作用セッションを開設する遠隔操作用セッション開設工程と；
前記遠隔操作用セッション開設工程で開設された前記遠隔操作用セッションを利用して、前記移動通信端末装置を介して、前記ファイル展開要求に対応するファイルに関連する操作入力を行う遠隔操作入力工程と；を備える遠隔操作方法。
【請求項２】
前記遠隔操作用セッション開設工程は、前記ファイル展開要求送信工程の後に実行される、ことを特徴とする請求項１に記載の遠隔操作方法。
【請求項３】
前記遠隔操作用セッション開設工程は、前記ファイル展開要求送信工程に先立って実行される、ことを特徴とする請求項１に記載の遠隔操作方法。
【請求項４】
前記ファイルリスト表示工程に先立って、前記遠隔サーバが管理している前記ファイルリストの情報を、前記遠隔サーバが前記移動通信端末装置へ送信するファイルリスト情報送信工程を更に備える、ことを特徴とする請求項１〜３のいずれか一項に記載の遠隔操作方法。
【請求項５】
前記ファイルリスト情報送信工程は、前記移動通信端末装置からのファイルリスト要求を受けた場合に実行される、ことを特徴とする請求項４に記載の遠隔操作方法。
【請求項６】
移動通信端末装置がネットワークを介して遠隔サーバを操作する通信システムであって、
前記移動通信端末装置は、
前記遠隔サーバに保存されている複数のファイルであって、前記遠隔サーバにおいて展開可能なもののリストであるファイルリストを記憶する記憶手段と；
前記ファイルリストを表示手段に表示させるファイルリスト表示手段と；
前記表示手段に表示された少なくとも１つのファイルの中から選択されたファイルのファイル識別子を含むファイル展開要求を、前記遠隔サーバへ送信するファイル展開要求送信手段と；
前記移動通信端末装置と前記遠隔サーバとの間で、前記移動通信端末装置が前記遠隔サーバを操作するための遠隔操作用セッションを利用して、前記ファイル展開要求に対応するファイルに関連する操作入力を行う遠隔操作入力手段と；を備え、
前記遠隔サーバは、
前記複数の展開可能なファイルを保存する保存手段と；
前記ファイル展開要求を受けた場合に、前記移動通信端末装置と前記遠隔サーバとの間で、前記ファイル展開要求に対応するファイルに関連する操作入力を、前記移動通信端末装置を介して行うための遠隔操作用セッションを開設する遠隔操作用セッション開設手段と；を備える通信システム。
【請求項７】
前記遠隔サーバは、
前記複数の展開可能なファイルに対応する前記ファイルリストを作成するファイルリスト作成手段と；
前記ファイルリスト作成手段により作成されたファイルリストに関する情報を前記移動通信端末装置へ送信するファイルリスト情報送信手段と；を更に備える、ことを特徴とする請求項６に記載の通信システム。
【請求項８】
前記遠隔サーバは、前記ファイルリスト作成手段により作成されたファイルリストを記憶するファイルリスト記憶手段を更に備え、
前記ファイルリスト情報送信手段は、前記ファイルリスト記憶手段に記憶されたファイルリストに関する情報を、前記移動通信端末装置へ送信する、ことを特徴とする請求項７に記載の通信システム。
【請求項９】
前記移動通信端末装置は、前記ファイルリストの情報を要求するファイルリスト要求を前記遠隔サーバへ送信するファイルリスト要求送信手段を更に備え、
前記ファイルリスト情報送信手段は、前記ファイルリスト要求を受信した場合に、前記ファイルリスト作成手段により作成された前記ファイルリストに関する情報を前記移動通信端末装置へ送信する、ことを特徴とする請求項７又は８に記載の通信システム。
【請求項１０】
前記ファイルリスト作成手段は、遠隔操作装置候補の移動通信端末装置ごとにファイルリスト情報を作成する、ことを特徴とする請求項７〜９のいずれか一項に記載の通信システム。
【請求項１１】
ネットワークを介して遠隔サーバを操作する移動通信端末装置であって、
前記遠隔サーバに保存されている複数のファイルであって、前記遠隔サーバにおいて展開可能なもののリストであるファイルリストを記憶する記憶手段と；
前記ファイルリストを表示手段に表示させるファイルリスト表示手段と；
前記表示手段に表示された少なくとも１つのファイルの中から選択されたファイルのファイル識別子を含むファイル展開要求を、前記遠隔サーバへ送信するファイル展開要求送信手段と；
前記移動通信端末装置と前記遠隔サーバとの間において、前記移動通信端末装置が前記遠隔サーバを操作するための遠隔操作用セッションを利用して、前記ファイル展開要求に対応するファイルに関連する操作入力を行う遠隔操作入力手段と；を備える移動通信端末装置。
【請求項１２】
移動通信端末装置がネットワークを介して遠隔操作する遠隔サーバであって、
複数の展開可能なファイルに対応するファイルリストを作成するファイルリスト作成手段と；
前記ファイルリストを保存する保存手段と；
前記ファイルリストに関する情報を前記移動通信端末装置へ送信するファイルリスト情報送信手段と； 
前記移動通信端末装置からファイル識別子を含むファイル展開要求を受けた場合に、前記移動通信端末装置と前記遠隔サーバとの間において、前記移動通信端末装置が前記遠隔サーバを操作するための遠隔操作用セッションを開設する遠隔操作用セッション開設手段と；を備える遠隔サーバ。
【発明の詳細な説明】
【技術分野】
【０００１】
本発明は、遠隔操作方法、通信システム、移動通信端末装置及び遠隔サーバに係り、より詳しくは、移動通信端末装置がネットワークを介して遠隔サーバを操作する遠隔操作方法及び当該遠隔操作方法が使用される通信システム、並びに当該通信システムの構成要素となる移動通信端末装置及び遠隔サーバに関する。
【背景技術】
【０００２】
従来から、携帯電話装置を代表とする移動通信端末装置が広く普及している。こうした移動通信端末装置の技術の進展は目覚しいものがあり、当初は機能が通話やメール送受信に限られていたが、その他の様々な機能が実装されるようになってきている。
【０００３】
しかしながら、移動通信端末装置は、移動可能性を必須とすることから、小型であることが求められるため、自宅や職場等に配置されるパーソナルコンピュータと比べると、一般に、実装される機能の種類が制限されるとともに、同一機能が実装されていても性能が低くなってしまう。そこで、外出先から自宅や職場のパーソナルコンコンピュータを遠隔操作する技術が提案されている。
【０００４】
こうしたパーソナルコンピュータを遠隔操作する技術として、ＶＮＣ（Virtual Network Computing）規格が知られている。このＶＮＣ規格は、制御端末装置（例えば、移動通信端末装置）が、被制御端末装置（例えば、パーソナルコンピュータ）のディスプレイに表示される画面内容を、ネットワークを介して取得して表示することや、制御端末装置が、ネットワークを介して、被制御端末装置を操作すること等を規定している。かかるＶＮＣ規格に準拠しつつ、利用者が、被制御端末装置の操作入力部を直接操作しているのと同様の感覚で遠隔操作を行うものも提案されている（特許文献１等参照）。
【０００５】
【特許文献１】特開２００３−２８２３８７号公報
【発明の開示】
【発明が解決しようとする課題】
【０００６】
上述したＶＮＣ規格は、被制御端末装置のディスプレイに表示される画面内容をそのまま制御端末装置のディスプレイに表示する方式を採用している。このため、被制御端末装置がパーソナルコンピュータである場合には、当該パーソナルコンピュータと直接的に対面する者にとって、認識しやすく、かつ、当該パーソナルコンピュータとして通常備えているキーボードやマウス等の操作入力装置を使用した操作入力を前提とした表示を行うようになっている。
【０００７】
ところで、制御端末装置となる移動通信端末装置、特に携帯電話装置は、通常のパーソナルコンピュータよりも小型であり、選択及び決定等の操作のための操作入力部におけるキーやボタンの種類が、通常のパーソナルコンピュータにおけるフルキーボードよりも少ない。また、携帯電話装置の場合には、一般にマウスが接続されず、表示部の画素構成も、通常のパーソナルコンピュータにおける表示部よりも貧弱となっている。
【０００８】
このため、利用者が携帯電話装置のキー等を用いてパーソナルコンピュータを遠隔操作することは、利用者がフルキーボードやマウスを用いてパーソナルコンピュータを直接操作することに比較して面倒であり、操作に要する時間も長い。
【０００９】
また、遠隔操作されるパーソナルコンピュータの画面を携帯電話装置の画面に表示する場合には、縮小するか、一部を表示するかの２通りが考えられる。しかしながら、パーソナルコンピュータの画面を縮小して表示するようにすると見づらい表示となってしまう。また、パーソナルコンピュータの画面の一部を表示するようにすると、目的の部分を表示するために表示部分を移動させるための操作が必要となる。
【００１０】
以上のような携帯電話装置等の移動通信端末装置による自宅のパーソナルコンピュータ等の被制御端末装置である遠隔サーバを遠隔操作する際の操作しづらさは、展開対象となるファイル又はフォルダを選択するときに、特に顕著となる。
【００１１】
本発明は、上記の事情を鑑みてなされたものであり、利用者が移動通信端末装置を用いて遠隔サーバにおいて展開可能なファイルを迅速かつ容易に遠隔操作可能な遠隔操作方法及び通信システムを提供することを目的とする。
【課題を解決するための手段】
【００１２】
本発明は、第１の観点からすると、移動通信端末装置がネットワークを介して遠隔サーバを操作する遠隔操作方法であって、前記移動通信端末装置が、前記遠隔サーバに保存されている複数のファイルであって、前記遠隔サーバにおいて展開可能なものリストであり、前記移動通信端末装置に記憶されているファイルリストを前記移動通信端末装置の表示部に表示するファイルリスト表示工程と；前記ファイルリスト表示工程において表示された少なくとも１つのファイルの中から選択されたファイルのファイル識別子を含むファイル展開要求を、前記移動通信端末装置が前記遠隔サーバへ送信するファイル展開要求送信工程と；前記移動通信端末装置と前記遠隔サーバとの間で、前記移動通信端末装置が前記遠隔サーバを操作するための遠隔操作用セッションを開設する遠隔操作用セッション開設工程と；前記遠隔操作用セッション工程において開設された前記遠隔操作用セッションを利用し、前記移動通信端末装置を介して、前記ファイル展開要求に対応するファイルに関連する操作入力を行う遠隔操作入力工程と；を備える遠隔操作方法である。
【００１３】
この遠隔操作方法では、移動通信端末装置がネットワークを介して遠隔サーバを操作する際には、まず、ファイルリスト表示工程において、移動通信端末装置が、遠隔サーバに保存されている複数のファイルであって、遠隔サーバにおいて展開可能なものリストであり、移動通信端末装置に記憶されているファイルリストを移動通信端末装置の表示部に表示する。ここで、「ファイル」には、（ｉ）ワープロ、表計算等のアプリケーション実行ファイル（例えば、「ＸＸＸ．ｅｘｅ」ファイル）、（ii）アプリケーションを用いて作成された作業ファイル（例えば、「ＹＹＹ．ｄｏｃ」ファイル）、及び、（iii）各ファイルを分類及び整理してまとめたフォルダが含まれる。また、実行ファイルの「展開」とは、実行ファイルにより特定されるアプリケーションの実行を意味する。本明細書においては、この意味で、「ファイル」及び「展開」の用語を用いるものとする。こうして表示されたファイルリストを見た利用者が、展開すべきファイルを選択すると、ファイル展開要求送信工程において、選択されたファイルのファイル識別子を含むファイル展開要求を、移動通信端末装置が遠隔サーバへ送信する。
【００１４】
一方、遠隔操作用セッション開設工程において、移動通信端末装置と遠隔サーバとの間で、移動通信端末装置が遠隔サーバを操作するための遠隔操作用セッションが開設される。かかる遠隔操作用セッションの開設は、ファイル展開要求送信工程の後に行われてもよいし、ファイル展開要求送信工程に先立って行われてもよい。
【００１５】
例えば、遠隔操作用セッションの開設がファイル展開要求送信工程の後に行われる場合には、ファイル展開要求を遠隔サーバが受信すると、遠隔サーバの主導により、遠隔操作用セッションが開設される。なお、遠隔操作用セッション開設工程と前後して、又は、並行して、遠隔サーバは、ファイル展開要求がなされたファイルを展開する。一方、遠隔操作用セッションの開設がファイル展開要求送信工程に先立って行われる場合には、ファイル展開要求を遠隔サーバが受信すると、遠隔サーバは、直ちに、ファイル展開要求がなされたファイルを展開する。
【００１６】
以上のようにして遠隔操作用セッションが開設され、かつ、ファイル展開要求が発行されると、まず、当該ファイルの展開の結果として、遠隔サーバの表示部に表示された表示画面情報が移動通信端末装置へ送信される。この表示画面情報を受けた移動通信端末装置は、移動通信端末装置の表示部に受信した表示画面情報に対応する内容を表示する。以後、遠隔操作入力工程において、遠隔操作用セッションの開設中に、利用者が移動通信端末装置の表示部を見ながら行った指令に従って、移動通信端末装置を介して、ファイル展開要求に対応するファイルに関連する操作入力を行う。
【００１７】
したがって、本発明の遠隔操作方法によれば、移動通信端末装置が、ファイルリストを用いて、展開可能な複数のファイルから遠隔操作しようとするファイルを選択することができるので、容易、迅速かつ効率的な遠隔操作ができる。
【００１８】
本発明の遠隔操作方法では、前記ファイルリスト表示工程に先立って、前記遠隔サーバが管理している前記リストの情報を、前記遠隔サーバが前記移動通信端末装置へ送信するファイルリスト情報送信工程を更に備えるようにすることができる。この場合には、ファイルリスト情報送信工程において、遠隔サーバが、自身が管理しているファイルリストの情報を、移動通信端末装置へ送信する。このため、遠隔サーバと移動通信端末装置との間において、それぞれに格納されているファイルリストの内容の同期をとることができる。
【００１９】
ここで、移動通信端末装置からのファイルリスト要求を受けたときに、このファイルリスト要求に応答して、遠隔サーバが、ファイルリスト送信工程を実行することができる。なお、遠隔サーバが管理しているリストの情報が更新されたとき等に、遠隔サーバが自発的に、ファイルリスト送信工程を実行するようにすることもできる。
【００２０】
本発明は、第２の観点からすると、移動通信端末装置がネットワークを介して遠隔サーバを操作する通信システムであって、前記移動通信端末装置は、前記遠隔サーバに保存されている複数のファイルであって、前記遠隔サーバにおいて展開可能なもののリストであるファイルリストを記憶する記憶手段と；前記ファイルリストを表示手段に表示させるファイルリスト表示手段と；前記表示手段に表示された少なくとも１つのファイルの中から選択されたファイルのファイル識別子を含むファイル展開要求を、前記遠隔サーバへ送信するファイル展開要求送信手段と；前記移動通信端末装置と前記遠隔サーバとの間で、前記移動通信端末装置が前記遠隔サーバを操作するための遠隔操作用セッションを利用して、前記ファイル展開要求に対応するファイルに関連する操作入力を行う遠隔操作入力手段と；を備え、前記遠隔サーバは、前記複数の展開可能なファイルを保存する保存手段と；前記ファイル展開要求を受けた場合に、前記移動通信端末装置と前記遠隔サーバとの間で、前記ファイル展開要求に対応するファイルに関連する操作入力を、前記移動通信端末装置を介して行うための遠隔操作用セッションを開設する遠隔操作用セッション開設手段と；を備える通信システムである。
【００２１】
この通信システムでは、移動通信端末装置がネットワークを介して遠隔サーバを操作する際には、まず、移動通信端末装置のファイルリスト表示手段が、記憶手段から遠隔サーバにおいて展開可能な複数のファイルのリストであるファイルリストを読み出す。引き続き、ファイルリスト表示手段は、読み出されたファイルリストを表示部に表示する。
【００２２】
こうして表示されたファイルリストを見た利用者が、展開すべきファイルを選択すると、移動通信端末装置のファイル展開要求送信手段が、選択されたファイルのファイル識別子を含むファイル展開要求を遠隔サーバへ送信する。一方、遠隔操作用セッション開設手段が主導して、移動通信端末装置と遠隔サーバとの間で、移動通信端末装置が遠隔サーバを操作するための遠隔操作用セッションを開設する。かかる遠隔操作用セッションの開設は、ファイル展開要求送信の後に行われてもよいし、ファイル展開要求送信に先立って行われてもよい。
【００２３】
例えば、遠隔操作用セッションの開設がファイル展開要求送信の後に行われる場合には、ファイル展開要求を遠隔サーバが受信すると、遠隔操作用セッション開設手段の主導により、遠隔操作用セッションが開設される。なお、遠隔操作用セッションの開設と前後して、又は、並行して、遠隔サーバは、ファイル展開要求がなされたファイルを展開する。一方、遠隔操作用セッションの開設がファイル展開要求送信に先立って行われる場合には、ファイル展開要求を遠隔サーバが受信すると、遠隔サーバは、直ちに、ファイル展開要求がなされたファイルを展開する。
【００２４】
以上のようにして遠隔操作用セッションが開設され、かつ、ファイル展開要求が発行されると、まず、当該ファイルの展開の結果として、遠隔サーバの表示部に表示された表示画面情報が移動通信端末装置へ送信される。この表示画面情報を受けた移動通信端末装置は、移動通信端末装置の表示部に受信した表示画面情報に対応する内容を表示する。以後、遠隔操作用セッションの開設中に、利用者が移動通信端末装置の表示部を見ながら行った指令が、遠隔操作入力手段を介して入力される。
【００２５】
すなわち、本発明の通信システムでは、上述した本発明の遠隔操作方法を使用して、移動通信端末装置が遠隔サーバを遠隔操作することができる。したがって、本発明の通信システムによれば、移動通信端末装置が、ファイルリストを用いて、展開可能な複数のファイルから遠隔操作しようとするファイルを選択することができるので、容易、迅速かつ効率的な遠隔操作ができる。
【００２６】
本発明の通信システムでは、前記遠隔サーバが、前記複数の展開可能なファイルに対応する前記ファイルリストを作成するファイルリスト作成手段と；前記ファイルリスト作成手段により作成されたファイルリストに関する情報を前記移動通信端末装置へ送信するファイルリスト情報送信手段と；を更に備えるようにすることができる。この場合には、遠隔サーバにおけるファイルの追加や削除に対応して、ファイルリスト作成手段がファイルリストを作成する。こうして作成されたファイルリストに関する情報は、ファイルリスト情報送信手段により、移動通信端末装置へ送信される。このため、遠隔サーバと移動通信端末装置との間において、それぞれに格納されているファイルリストの内容の同期をとることができる。
【００２７】
ここで、前記遠隔サーバは、前記ファイルリスト作成手段により作成されたファイルリストを記憶するファイルリスト記憶手段を更に備え、前記ファイルリスト情報送信手段は、前記ファイルリスト記憶手段に記憶されたファイルリストに関する情報を、前記移動通信端末装置へ送信するようにすることができる。
【００２８】
また、前記移動通信端末装置が、前記ファイルリストの情報を要求するファイルリスト要求を前記遠隔サーバへ送信するファイルリスト要求送信手段を更に備えるとともに、前記ファイルリスト情報送信手段は、前記ファイルリスト要求を受信した場合に、前記ファイルリスト作成手段により作成された前記ファイルリストに関する情報を前記移動通信端末装置へ送信するようにすることができる。なお、遠隔サーバが管理しているリストの情報が更新されたとき等に、遠隔サーバが自発的に、ファイルリスト作成手段により作成されたファイルリストに関する情報を移動通信端末装置へ送信するようにすることもできる。
【００２９】
また、前記ファイルリスト作成手段が、遠隔操作装置候補の移動通信端末装置ごとにファイルリストを作成するようにすることができる。この場合には、遠隔操作装置候補の移動通信端末装置ごとに、上述した本発明の遠隔操作方法を使用して展開することができるファイルを設定することができる。
【００３０】
本発明は、第３の観点からすると、ネットワークを介して遠隔サーバを操作する移動通信端末装置であって、前記遠隔サーバに保存されている複数のファイルであって、前記遠隔サーバにおいて展開可能なもののリストであるファイルリストを記憶する記憶手段と；前記ファイルリストを表示手段に表示させるファイルリスト表示手段と；前記表示手段に表示された少なくとも１つのファイルの中から選択されたファイルのファイル識別子を含むファイル展開要求を、前記遠隔サーバへ送信するファイル展開要求送信手段と；前記移動通信端末装置と前記遠隔サーバとの間において、前記移動通信端末装置が前記遠隔サーバを操作するための遠隔操作用セッションを利用して、前記ファイル展開要求に対応するファイルに関連する操作入力を行う遠隔操作入力手段と；を備える移動通信端末装置である。
【００３１】
この移動通信端末装置では、ネットワークを介して遠隔サーバを操作しようとする際には、まず、ファイルリスト表示手段が、記憶手段から遠隔サーバにおいて展開可能な複数のファイルのリストであるファイルリストを読み出す。引き続き、ファイルリスト表示手段は、読み出されたファイルリストを表示部に表示する。こうして表示されたファイルリストを見た利用者が、展開すべきファイルを選択すると、ファイル展開要求送信手段が、選択されたファイルのファイル識別子を含むファイル展開要求を遠隔サーバへ送信する。
【００３２】
一方、遠隔サーバが主導して、移動通信端末装置と遠隔サーバとの間で、移動通信端末装置が遠隔サーバを操作するための遠隔操作用セッションを開設する。かかる遠隔操作用セッションの開設は、ファイル展開要求送信の後に行われてもよいし、ファイル展開要求送信に先立って行われてもよい。
【００３３】
以上のようにして遠隔操作用セッションが開設され、かつ、ファイル展開要求が発行されると、遠隔サーバの表示部に表示された表示画面情報が、遠隔サーバから移動通信端末装置へ送信される。この表示画面情報を受けると、移動通信端末装置の表示部に、受信した表示画面情報に対応する内容が表示される。以後、遠隔操作用セッションの開設中に、利用者が表示部を見ながら行った指令を、遠隔操作入力手段を介して入力し、遠隔サーバへ送信する。
【００３４】
すなわち、本発明の移動通信端末装置は、上述した本発明の通信システムにおける移動通信端末装置の機能を果たすことができる。したがって、本発明の移動通信端末装置を、本発明の通信システムにおける移動通信端末装置として採用することができる。
【００３５】
本発明は、第４の観点からすると、移動通信端末装置がネットワークを介して遠隔操作する遠隔サーバであって、複数の展開可能なファイルに対応するファイルリストを作成するファイルリスト作成手段と；前記ファイルリストを保存する保存手段と；前記ファイルリストに関する情報を前記移動通信端末装置へ送信するファイルリスト情報送信手段と；前記移動通信端末装置からファイル識別子を含むファイル展開要求を受けた場合に、前記移動通信端末装置と前記遠隔サーバとの間において、前記移動通信端末装置が前記遠隔サーバを操作するための遠隔操作用セッションを開設する遠隔操作用セッション開設手段と；を備える遠隔サーバである。
【００３６】
この遠隔サーバでは、ファイルの追加や削除に対応して、ファイルリスト作成手段がファイルリストを作成する。こうして作成されたファイルリストに関する情報は、保存手段に保存されるとともに、ファイルリスト送信手段により、移動通信端末装置へ送信される。また、遠隔操作用セッション開設手段が、移動通信端末装置と遠隔サーバとの間で、移動通信端末装置が前記遠隔サーバを操作するための遠隔操作用セッションを開設する。
【００３７】
すなわち、本発明の遠隔サーバは、上述した本発明の通信システムにおける遠隔サーバの機能を果たすことができる。したがって、本発明の遠隔サーバを、本発明の通信システムにおける遠隔サーバとして採用することができる。
【発明の効果】
【００３８】
本発明の遠隔操作方法及び通信システムによれば、移動通信端末装置による遠隔サーバの遠隔操作を、容易に、迅速に、かつ、効率的に行うことができるという効果を奏する。
【００３９】
また、本発明の移動通信端末装置及び遠隔サーバを、本発明の通信システムの構成要素として採用することができる。
【発明を実施するための最良の形態】
【００４０】
以下、本発明の一実施形態を、図１〜図７を参照しつつ説明する。なお、これらの図においては、同一又は同等の要素には同一の符号を付し、重複する説明を省略する。
【００４１】
図１は、本発明の一実施形態に係る遠隔操作方法が使用可能な通信システム１００の概略的な構成図である。図１に示されるように、この通信システム１００は、（ａ）ワープロ、表計算等のアプリケーションファイルや、アプリケーションファイルによって作成されたファイル等を保存するＶＮＣサーバ３０と、（ｂ）ＶＮＣサーバ３０に保存された複数のファイルをネットワーク５０を介して操作する移動通信端末装置である携帯電話装置１０，２０と、（ｃ）携帯電話装置１０，２０が無線通信を行う基地局５２，５３，…と、（ｄ）ＶＮＣサーバ３０及び基地局５２，５３，…が接続されたネットワーク５０とを備えている。また、図１においては、携帯電話装置１０と基地局５２とが無線通信を行うとともに、携帯電話装置２０と基地局５３とが無線通信を行う場合の例が示されているが、携帯電話装置１０，２０が無線通信を行う基地局は、基地局５２，５３に限定されるものではない。
【００４２】
図２（Ａ）、図２（Ｂ）及び図３には、携帯電話装置１０の構成が示されている。ここで、図２（Ａ）は携帯電話装置１０の外観の正面図であり、図２（Ｂ）は携帯電話装置１０の外観の背面図である。また、図３は、携帯電話装置１０のハードウエア的な機能ブロック図である。
【００４３】
図２（Ａ）及び図２（Ｂ）により総合的に示されるように、携帯電話装置１０は、（ａ）携帯電話装置本体１１と、（ｂ）電話番号，文字等を制御部２１へ入力するためのテンキー、及び、各種指令を制御部２１へ入力するためのファンクションキーを有する操作部１２と、（ｃ）制御部２１による指令に応じて操作案内、動作状況、受信メッセージ等を表示する表示部１３とを備えている。また、携帯電話装置１０は、（ｄ）通話時に通信相手から送信された音声信号を再生する通話用スピーカ１４と、（ｅ）通話時に音声を入力するためのマイクロフォン１５と、（ｆ）制御部２１による指令に応じて着信音や案内音を発生するための案内用スピーカ１６とを備えている。
【００４４】
携帯電話装置本体１１は、図３に示されるように、（ｉ）携帯電話装置１０の各部の動作を制御する制御部２１と、（ii）無線信号用のアンテナ１７を有し無線信号を送受信する送受信部２２と、（iii）各種データを記憶する記憶部２３とを備えている。
【００４５】
記憶部２３は、ファイルリスト（ショートカット）保存領域２４と、受信ファイルデータ保存領域２５とを有している。ここで、ファイルリスト保存領域２４には、後述するＶＮＣサーバ３０に保存されたファイルリストとに対応する内容のファイルリスト（ショートカットリスト）が一時的に保存される。また、受信ファイルデータ保存領域２５には、ＶＮＣサーバ３０から受信した画面表示用データが一時的に保存される。
【００４６】
制御部２１は、中央処理装置（ＣＰＵ）、デジタル信号処理装置（Digital Signal Processor）等を備えて構成されている。この制御部２１において各種プログラムを実行することにより、上述した構成要素を制御して、携帯電話装置１０としての機能が実現される。
【００４７】
こうして制御部２１において実行されるブログラムの１つとして、ＶＮＣサーバ３０及び携帯電話装置１０間の遠隔操作に関するインターフェース処理を行うインターフェース処理部４０がある。このインターフェース処理部４０は、ＶＮＣセッション設定部４１と、リンク処理部４２と、送信処理部４３と、ファイルデータ受信処理部４４とを備えて構成されている。
【００４８】
ここで、ＶＮＣセッション設定部４１は、制御部２１の指令に基づいてＶＮＣセッションをネットワーク５０に設定する。また、リンク処理部４２は、ＶＮＣサーバ３０から送信された表示部１３におけるスケーリングに関する問い合わせに対する通知や、表示部１３の表示可能な色の種類の通知や、ＶＮＣサーバ３０に遠隔ログインするためのＩＤ、パスワードの通知等の処理を行う。
【００４９】
また、送信処理部４３は、ＶＮＣサーバ３０から送信されたファイルリストに基づいて利用者が選択したファイルの展開要求をＶＮＣサーバ３０へ向けて送信する。この送信処理部４３は、操作部１２によって選択又は入力された情報等をＶＮＣサーバ３０へ向けて送信する。
【００５０】
また、ファイルデータ受信処理部４４は、ＶＮＣサーバ３０から送信された画面表示データ（例えば、ビットマップイメージデータ）を受信する。ここで、遠隔操作用セッションが設定された後において、最初にＶＮＣサーバ３０から送信される画面表示データは、ＶＮＣサーバ３０において表示される画面のフル画面情報データである。その後にＶＮＣサーバ３０から送信される画面表示データは、前回のＶＮＣサーバ３０による画面表示データ送信時からの画面表示差分情報データである。ファイルデータ受信処理部４４は、受信した画面表示データを使用してＶＮＣサーバ３０における表示画像を再現し、表示部１３に表示する。
【００５１】
携帯電話装置２０は、上記の携帯電話装置２０と同様に構成されている。
【００５２】
ＶＮＣサーバ３０は、例えばパーソナルコンピュータシステムとして構成され、図４に示されるように、（ａ）ＶＮＣサーバ３０の全体を制御する制御部３１と、（ｂ）制御部３１による制御のもとで、ネットワーク５０を介した通信を行うための送受信部３２とを備えている。また、ＶＮＣサーバ３０は、（ｃ）展開可能なアプリケーションファイル、作業ファイル及びこれらに付随する各種のデータファイル等を保存又は記憶し、制御部３１がアクセス可能な固定ディスク装置等の記憶装置３３と、（ｄ）制御部３１による指令に応じて、記憶装置３３に保存された各ファイルの内容、受信メッセージ等といったデスクトップイメージを表示する表示部３４とを備えている。
【００５３】
記憶装置３３は、（ｉ）アプリケーションファイル記憶領域３５と、（ii）作業ファイル記憶領域３６と、（iii）フォルダ記憶領域３７との各記憶領域を有するとともに、ファイルリストとしてのファイルリスト保存領域３８と、ファイル管理情報保存領域３９とを備えている。
【００５４】
アプリケーションファイル記憶領域３５には、ワープロアプリケーションファイル３５ａ、表計算アプリケーションファイル３５ｂ等のアプリケーションファイル（実行ファイル（ｅｘｅファイル））が記憶される。また、作業ファイル記憶領域３６には、アプリケーションファイルを用いて作成された作業ファイル（ｄｏｃファイル、ｘｌｓファイル等）３６ａ，３６ｂ，…が記憶される。フォルダ記憶領域３７には、各ファイルを分類及び整理するためのフォルダ（作業フォルダ）３７ａ，３７ｂ，…が記憶される領域である。
【００５５】
ファイルリスト保存領域３８には、各記憶領域３５，３６，３７のそれぞれに保存された複数のファイル（フォルダを含む）のそれぞれに関連付けられた複数のショートカット用データ（ファイル識別データ）を有するファイルリスト（ショートカットリスト）が保存される。このファイルリストは、ＶＮＣサーバ３０から携帯電話装置１０に向けて送信されるものである。
【００５６】
ファイルリストは、複数のアプリケーションファイルや作業ファイル等がリスト化されたものであり、その一例が、図５（Ａ）に示されている。この図５（Ａ）に示されるファイルリストには、「ワープロ」等の複数のアプリケーション種別のそれぞれを識別する項目（アプリケーション種別識別項目）と、「ｄｏｃファイル」等の複数のファイル名称のそれぞれを識別する項目（ファイル名称識別項目）と、「共有フォルダ」等の複数のフォルダ名称のそれぞれを識別する項目（フォルダ名称識別項目）とが含まれている。
【００５７】
なお、リストの順番は、携帯電話装置１０又は２０が利用したファイルの利用頻度や、携帯電話装置１０又は２０が最近使用した順や、利用者が登録した順といった所望の順番に設定可能になっている。また、ファイルリスト保存領域３８内のファイルリストは、ＶＮＣサーバ３０や、携帯電話装置１０からの通知によって更新や編集が可能となっている。
【００５８】
ファイル管理情報保存領域３９には、各記憶領域３５，３６，３７のそれぞれに保存された複数のファイルのそれぞれの状態の管理情報が保存されようになっている。こうした管理情報としては、図５（Ｂ）に示されるように、制御部３１がファイルリストを識別するためのファイルＩＤ（Identifier）や、ファイル名称及びファイル種類等がある。また、バージョンアップされたアプリケーションをインストールした場合等において、ＶＮＣサーバ３０が携帯電話装置１０に対してバージョンアップを通知することができるように、ファイルの更新時刻情報（タイムスタンプ）が保存されるようにもなっている。ここうした情報により、ネットワーク５０を介して携帯電話装置１０又は２０から選択されたファイルリスト３９が特定され、所望のファイルが展開され、その展開結果として発生するデータが、携帯電話装置１０に送信されるのである。
【００５９】
図４に戻って、制御部３１は、中央処理装置（Central Processing Unit：ＣＰＵ）等を備えて構成されている。この制御部３１において各種プログラムを実行することにより、上述した構成要素を制御して、ＶＮＣサーバ３０としての機能が実現される。こうして制御部３１において実行されるブログラムとして、ファイル管理部６１と、インターフェース処理部６２とを備えて構成されている。
【００６０】
ここで、ファイル管理部６１は、記憶装置３３に保存された複数のファイルのそれぞれの状態を管理し、複数のファイルのそれぞれに関連付けられた複数のショートカット用データ（ファイル識別データ）を有するファイルリストを生成する。また、ファイル管理部６１は、ＶＮＣサーバ３０が携帯電話装置１０又は２０のそれぞれと通信する場合には、各携帯電話装置１０，２０についてそれぞれファイルリストを生成する。
【００６１】
インターフェース処理部６２は、ＶＮＣサーバ３０及び携帯電話装置１０間の遠隔操作に関するインターフェース処理を行うものである。このインターフェース処理部６２は、ＶＮＣセッション設定部６３と、ファイルリスト通知部６４と、受信処理部６５と、ファイルデータ送信部６６、リンク処理部６７とを備えて構成されている。
【００６２】
ＶＮＣセッション設定部６３は、記憶装置３３に保存された複数のファイルのうちの携帯電話装置１０又は２０にて選択されたファイルを利用者が携帯電話装置１０又は２０において操作するためのＶＮＣセッション（遠隔操作用セッション）を、ファイル管理部６１の指令に基づいて開設する。このＶＮＣセッション設定部６３は、携帯電話装置１０又は２０の認証機能をも有する。なお、ＶＮＣセッション設定部６３は、ＶＮＣ規格に従った遠隔操作用のソフトウェアプログラムが記憶装置３３等にインストールされたものである。
【００６３】
ファイルリスト通知部６４は、ファイル管理部６１にて管理されるファイルリストを携帯電話装置１０又は２０へ向けて通知する際に動作する。
【００６４】
受信処理部６５は、記憶装置３３に保存された複数のファイルのうちのファイルリスト通知部６４にて送信されたファイルリストに基づき携帯電話装置１０又は２０にて選択されたショートカット用情報を含むファイル展開要求を受信し、ファイル要求に対応するファイルを展開する。この受信処理部６５は、利用者によって操作された携帯電話装置１０のテンキー、ファンクションキーや、あるいは、これらのキーと異なるマウス等のポインティングデバイスによって選択又は入力された情報、データを認識し所望な指令をＶＮＣサーバ３０内の各構成要素に対して通知する。
【００６５】
ファイルデータ送信部６６は、ＶＮＣセッション設定部６３にて設定されたＶＮＣセッションにより、受信処理部６５において展開されているファイルのファイルデータを、携帯電話装置１０又は２０へ向けて送信するものである。具体的には、ファイルデータ送信部６６は、表示部３４への表示画像（以下、「デスクトップ画像」ともいう）と、デスクトップ画像が変化した場合の差分情報とをいずれも携帯電話装置１０に向けて送信可能になっている。なお、また、デスクトップ画像の変化が生じた部分の変化を差分情報は、ファイルデータ送信部６６によって算出される。
【００６６】
リンク処理部６７は、携帯電話装置１０からＶＮＣサーバ３０へ送信された遠隔ログインに必要なＩＤ（又はログイン名）やパスワードの認証や、携帯電話装置１０に表示されるファイルの内容を拡大又は縮小するスケーリングや、携帯電話装置１０が表示可能な色の種類の問い合わせ等の各種処理を行う。なお、本実施形態においては、リンク処理部６７が用いるリンクとして、ＵＰｎＰ（Universal Plug and Play）に準拠するリンクが用いられる。このＵＰｎＰは、自宅や職場のパーソナルコンピュータ、プリンタ、電化製品等を、ネットワーク５０を介して相互に接続し、また、相互にＩＰアドレスを自動的に認識できるようにした技術仕様である。
【００６７】
次に、上記のように構成された通信システム１００におけるＶＮＣサーバ３０の遠隔操作処理について、携帯電話装置１０によるＶＮＣサーバ３０の遠隔操作処理を例にとって説明する。なお、携帯電話装置１０は、基地局５２と無線通信を行うものとする。
【００６８】
携帯電話装置１０によりＶＮＣサーバ３０を遠隔操作する際には、図６に示されるように、まず、携帯電話装置１０が、基地局５２との間において無線接続し、ＶＮＣサーバ３０と、インターネット接続する（Ｕ１参照）。引き続き、携帯電話装置１０が、ＶＮＣサーバ３０との間で、ＵＰｎＰリンクを確立させる（Ｕ２参照）。この状態において、携帯電話装置１０の表示部１３には、図７（Ａ）に示される画面が表示される。
【００６９】
図６に戻り、次に、ステップＳ１１において、携帯電話装置１０は、遠隔ログイン操作を行う。まず、利用者は、画面案内（図７（Ｂ）参照）に応じて、ＩＤ及びパスワードを入力する。認証処理の間、認証中の画面（図７（Ｃ）参照）が利用者に対して表示される。そして、認証がなされると、携帯電話装置１０は、遠隔ログイン要求をＶＮＣサーバ３０へ送信する。
【００７０】
遠隔ログイン要求を受信したＶＮＣサーバ３０は、ステップＳ１２において、ログイン処理を行う。そして、ステップＳ１２におけるログイン処理が正常に終了すると、ＶＮＣサーバ３０は、ログイン成功を返送する。なお、ステップＳ１２におけるログイン処理がエラー終了した場合には、ＶＮＣサーバ３０は、ログイン失敗を返送する。
【００７１】
ログイン成功を受信すると、携帯電話装置１０では、遠隔操作の初期画面（図７（Ｄ）参照）が表示部１３に表示される。なお、ログイン失敗を受信すると、携帯電話装置１０では、その旨が表示部１３に表示され、利用者に通知される。以下、遠隔ログインに成功したものとして、説明を行う。
【００７２】
こうして表示された遠隔操作の初期画面を見た利用者が、当該初期画面に表示されている項目の中から「ファイルリスト」を選択すると、携帯電話装置１０は、ステップＳ１３のファイルリストの取得処理を開始する。このステップＳ１３のファイルリストの取得処理においては、携帯電話装置１０は、まず、ＶＮＣサーバ３０に対して、ファイルリスト要求を送信する。そして、携帯電話装置１０は、ファイルリスト返送待ちとなる。
【００７３】
ファイルリスト要求を受けたＶＮＣサーバ３０は、ステップＳ１４において、ファイルリストの返送処理を行う。この返送処理に際して、ＶＮＣサーバ３０では、ファイルリスト保存領域３８からファイルリスト情報が読み出される。引き続き、ＶＮＣサーバ３０は、読み出されたファイルリスト情報を携帯電話装置１０へ送信する。
【００７４】
こうしてＶＮＣサーバ３０から送信されたファイルリスト情報を受けると、携帯電話装置１０では、ステップＳ１３のファイルリストの取得処理が再開される。そして、携帯電話装置１０では、受信したファイルリスト情報がファイルリスト保存領域２４に保存される。この後、携帯電話装置１０では、受信したファイルリスト情報に基づいて、ファイルリスト種別画面が表示される（図７（Ｅ）参照）。
【００７５】
このファイルリスト種別画面を見た利用者が、操作部１２からファイル種別を選択すると、ステップＳ１５において、ファイルリスト保存領域２４に保存されたファイルリスト情報に基づき、選択されたファイル種別に対応する画面表示が行われる。例えば、利用者が「アプリケーションファイルリスト」を選択したときは、携帯電話装置１０では、図７（Ｆ）に示されるような画面が表示される。この後、利用者は、表計算、メール作成／送受信等の複数の実行ファイルの中から所望のアプリケーションファイルを、展開対象のファイルとして選択する。
【００７６】
また、図７（Ｅ）の画面表示中に、利用者が「作業ファイルリスト」を選択したときは、携帯電話装置１０では、図７（Ｇ）に示されるような画面が表示される。この後、利用者は、「ＡＡＡ．ｘｌｓ」等の複数の作業ファイルの中から所望の作業ファイルを、展開対象のファイルとして選択する。
【００７７】
また、図７（Ｅ）の画面表示中に、利用者が「フォルダリスト」選択したときは、携帯電話装置１０では、図７（Ｈ）に示されるような画面が表示される。利用者は、「仕様書」等の複数のフォルダの中から所望のフォルダを、展開対象のファイルとして選択する。
【００７８】
こうして展開対象のファイルが選択されると、ステップＳ１５において、携帯電話装置１０は、選択されたファイルに関するファイル展開要求をＶＮＣサーバ３０へ向けて送信する。このファイル展開要求を受けたＶＮＣサーバ３０は、ステップＳ１６において、展開要求がなされたファイルを展開する。
【００７９】
引き続き、ステップＳ１７において、ＶＮＣサーバ３０は、ＶＮＣセッションの設定処理を行う。これにより、ネットワーク５０において、携帯電話装置１０及びＶＮＣサーバ３０間のＶＮＣセッションが設定される（Ｕ３参照）。そして、このＶＮＣセッションにより、ＶＮＣサーバ３０は、携帯電話装置１０へ向けて、ＶＮＣサーバ３０の表示部３４に表示されるデスクトップ画面の情報を一定間隔で、又は必要に応じて送信する。一方、携帯電話装置１０は、ＶＮＣサーバ３０から受信した差分情報を組み立て処理し、ワープロアプリケーションファイルの内容を表示部１３に表示し、ワープロ等の操作が可能になる（Ｕ４参照）。
【００８０】
携帯電話装置２０によるＶＮＣサーバ３０の遠隔制御も、上記の携帯電話装置１０の場合と同様にして行われる。ここで、本実施形態においては、携帯電話装置１０，２０のそれぞれについて、別個に、ファイルリストを作成し、管理するようになっている。
【００８１】
以上説明したように、本実施形態では、制御端末装置である携帯電話装置１０（又は２０）が、ネットワーク５０を介して、被制御端末装置であるＶＮＣサーバ３０を遠隔操作するには、まず、携帯電話装置１０（又は２０）において、遠隔サーバにおいて展開可能な複数のファイルのリストであるファイルリストが表示部１３に表示される。こうして表示されたファイルリストを見た利用者が、展開すべきファイルを選択すると、携帯電話装置１０（又は２０）から、選択されたファイルのファイル識別子を含むファイル展開要求がＶＮＣサーバ３０へ送信される。
【００８２】
かかるファイル展開要求を受信すると、ＶＮＣサーバ３０において展開要求がなされたファイルが展開されるとともに、ＶＮＣサーバ３０の主導により、遠隔操作用セッションが開設される。こうして遠隔操作用セッションが開設されると、まず、当該ファイルの展開の結果として、ＶＮＣサーバの表示部３４に表示された表示画面情報が携帯電話装置１０（又は２０）へ送信される。この表示画面情報を受けた携帯電話装置１０（又は２０）では、表示画面情報に対応する内容を表示する。以後、遠隔操作用セッションの開設中に、利用者が携帯電話装置１０（又は２０）の表示部１３を見ながら、ＶＮＣサーバ３０を遠隔操作する。
【００８３】
したがって、本実施形態の通信システム１００では、携帯電話装置１０（又は２０）よるＶＮＣサーバ３０の遠隔操作を、容易、迅速かつ効率的に行うことができる。
【００８４】
なお、上記の実施形態では、ＵＰｎＰリンクの確立後にファイル展開要求がＶＮＣサーバ３０へ送信され、このファイル展開要求に応じてＶＮＣセッションの開設が行われる場合を説明した。これに対して、ＶＮＣセッションが設定されている状態でＵＰｎＰリンクの確立してファイル展開要求がＶＮＣサーバ３０へ送信されるようにすることもできる。かかる場合には、ファイル展開要求を受信すると、ＶＮＣサーバ３０において展開要求がなされたファイルが展開された後、直ちに、当該ファイルの展開の結果として、ＶＮＣサーバの表示部３４に表示された表示画面情報が携帯電話装置１０（又は２０）へ送信される。
【００８５】
また、上記の実施形態では、ＶＮＣサーバ３０を遠隔操作し得る携帯電話装置を２台としたが、３台以上とすることができる。ここで、各携帯電話装置の利用者が異なっていてもよい。
【００８６】
また、上記の実施形態では、携帯電話装置１０（又は２０）は、遠隔操作開始の際にＶＮＣサーバ３０からファイルリストを取得するようにした。これに対して、携帯電話装置１０（又は２０）が、ファイルリスト保存領域２４にその時点で保存されているファイルリストを利用ようにするとともに、ＶＮＣサーバ３０においてファイルリストの更新があった場合等に、ＶＮＣサーバ３０から更新情報を送信する等して、ファイルリスト保存領域２４内のファイルリストを更新するようにしてもよい。
【００８７】
また、上記の実施形態では、制御端末装置を携帯電話装置としたが、他の移動通信端末装置とすることができる。
【００８８】
また、上記の実施形態では、被制御端末装置をパーソナルコンピュータとしたが、通信機能を有する任意の種類の情報処理装置とすることができる。
【産業上の利用可能性】
【００８９】
以上説明したように、本発明の遠隔操作方法及び通信システムは、移動通信端末装置を用いて自宅又は職場に配置された遠隔サーバの遠隔操作に適用することができる。また、本発明の移動通信端末装置及び遠隔サーバは、移動通信端末装置が遠隔サーバを遠隔操作する通信システムの構成要素に適用することができる。
【図面の簡単な説明】
【００９０】
【図１】本発明の一実施形態に係る通信システムの概略的な構成図である。
【図２】図１の移動通信端末装置の外観を概略的に示す図である。
【図３】図１の移動通信端末装置の機能ブロック図である。
【図４】図１の遠隔サーバの構成を説明するためのブロック図である。
【図５】ファイルリスト及びファイルの管理例を説明するための図である。
【図６】図１の通信システムにおける遠隔操作方法を説明するためのシーケンス図である。
【図７】図１の移動通信端末装置の画面表示例を説明するための図である。
【符号の説明】
【００９１】
１０，２０…携帯電話装置（移動通信端末装置）、１１…携帯電話装置本体、１２…操作部、１３…表示部、１４…通話用スピーカ、１５…マイクロフォン、１６…案内用スピーカ、１７…アンテナ、２１…制御部、２２…送受信部、２３…記憶部、２４…ファイルリスト保存領域、２５…受信ファイルデータ保存領域、３０…ＶＮＣサーバ（遠隔サーバ）、３１…制御部、３２…送受信部、３３…記憶装置（ファイル保存手段）、３４…表示部、３５…アプリケーションファイル記憶領域、３５ａ…ワープロアプリケーションファイル、３５ｂ…表計算アプリケーションファイル、３５ｃ…テキストエディタアプリケーションファイル、３６…作業ファイル記憶領域、３６ａ，３６ｂ，３６ｃ…作業ファイル、３７…フォルダ記憶領域、３７ａ，３７ｂ…フォルダ、３８…ファイルリスト保存領域、３９…ファイル管理情報保存領域、４０…インターフェース処理部、４１…ＶＮＣセッション設定部、４２…リンク処理部、４３…送信処理部、４４…ファイルデータ受信処理部、５０…ネットワーク、５２，５３…基地局、６１…ファイル管理部（ファイル管理手段）、６２…インターフェース処理部、６３…ＶＮＣセッション設定部（通信セッション設定手段）、６４…ファイルリスト通知部（ファイルリスト通知手段）、６５…受信処理部（受信処理手段）、６６…ファイルデータ送信部（ファイルデータ送信手段）、６７…リンク処理部、１００…通信システム。
【図１】
2007157050.tif 000003
【図２】
2007157050.tif 000004
【図３】
2007157050.tif 000005
【図４】
2007157050.tif 000006
【図５】
2007157050.tif 000007
【図６】
2007157050.tif 000008
【図７】
2007157050.tif 000009